(57)【要約】【課題】水平スイッチにリークがあるとそのリーク電流によって横クロストークと呼ばれる画質不良が現れる。【解決手段】点順次駆動方式アクティブマトリクス型液晶表示装置において、プリチャージスイッチ１４１−１〜１４１−ｎのリークを積極的に利用し、映像信号Ｖｓｉｇの書き込み期間に、プリチャージスイッチ１４１−１〜１４１−ｎのリーク量を、黒レベルを書き込む際のサンプリングスイッチ１３５−１〜１３５−ｎのリーク量よりも大きくして、サンプリングスイッチ１３５−１〜１３５−ｎのリークによる横クロストークよりも黒い画表示を画面全体に亘って行うことで、当該横クロストークが表示画面上に現れないようにする。【選択図】図１
2006011194.tif 000002
【特許請求の範囲】
【請求項１】
電気光学素子を含む画素が行列状に２次元配置されてなる画素アレイ部と、
前記画素アレイ部の画素を行単位で選択する垂直駆動手段と、
前記垂直駆動手段によって選択された行の画素に対して画素単位で映像信号を書き込む水平スイッチ群と、
前記水平スイッチ群による前記映像信号の書き込みに先立って、あらかじめ所定レベルのプリチャージ信号を画素単位で書き込むプリチャージスイッチ群と、
前記水平スイッチ群による前記映像信号の書き込み期間に、前記プリチャージスイッチ群のリーク量を、ノーマリブラックモードでは黒レベル、ノーマリホワイトモードでは白レベルを書き込む際の前記水平スイッチ群のリーク量よりも大きくする制御手段と
を備えたことを特徴とする表示装置。
【請求項２】
前記制御手段は、前記水平スイッチ群による前記映像信号の書き込み期間に、前記プリチャージスイッチ群に対して前記プリチャージ信号を伝送するプリチャージ線の電位をノーマリブラックモードでは黒電位、ノーマリホワイトモードでは白電位に設定する
ことを特徴とする請求項１記載の表示装置。
【請求項３】
前記制御手段は、前記プリチャージスイッチ群の各スイッチを形成するトランジスタのチャネル幅を、前記水平スイッチ群の各スイッチを形成するトランジスタのチャネル幅よりも大きく設定する
ことを特徴とする請求項１記載の表示装置。
【請求項４】
前記制御手段は、前記プリチャージスイッチ群の各スイッチを形成するトランジスタのチャネル長を、前記水平スイッチ群の各スイッチを形成するトランジスタのチャネル長よりも小さく設定する
ことを特徴とする請求項１記載の表示装置。
【請求項５】
前記制御手段は、前記プリチャージスイッチ群の各スイッチを形成するトランジスタのオフ時のゲート電位を、前記水平スイッチ群の各スイッチを形成するトランジスタのオフ時のゲート電位よりも、Ｎｃｈトランジスタでは低く、Ｐｃｈトランジスタでは高く設定する
ことを特徴とする請求項１記載の表示装置。
【請求項６】
電気光学素子を含む画素が行列状に２次元配置されてなる画素アレイ部と、
前記画素アレイ部の画素を行単位で選択する垂直駆動手段と、
前記垂直駆動手段によって選択された行の画素に対して画素単位で映像信号を書き込む水平スイッチ群と、
前記水平スイッチ群による前記映像信号の書き込みに先立って、あらかじめ所定レベルのプリチャージ信号を画素単位で書き込むプリチャージスイッチ群とを備えた表示装置の駆動方法であって、
前記水平スイッチ群による前記映像信号の書き込み期間に、前記プリチャージスイッチ群のリーク量を、ノーマリブラックモードでは黒レベル、ノーマリホワイトモードでは白レベルを書き込む際の前記水平スイッチ群のリーク量よりも大きくする
ことを特徴とする表示装置の駆動方法。
【発明の詳細な説明】
【技術分野】
【０００１】
本発明は、表示装置および表示装置の駆動方法に関し、特に電気光学素子を含む画素が行列状に２次元配置されてなる表示装置および当該表示装置の駆動方法に関する。
【背景技術】
【０００２】
電気光学素子を含む画素が行列状に２次元配置されてなる表示装置、例えば電気光学素子として液晶セルを用い、当該液晶セルを含む画素が行列状に２次元配置され、これら画素の行列状配列に対して行ごとに走査線が、列ごとに信号線が配線されてなる画素アレイ部と、この画素アレイ部の各画素を行単位で選択する垂直駆動回路と、この垂直駆動回路によって選択された行（以下、「選択行」と記す場合もある）の各画素に映像信号を書き込む水平駆動回路とを有するアクティブマトリクス型液晶表示装置において、点順次駆動方式は、例えばビデオ線を通してシリアル入力されるアナログ映像信号を、ビデオ線と信号線の各々との間に接続された水平スイッチによって１水平走査期間に亘って順次サンプリングし、このサンプリングした映像信号を選択行の画素に、対応する信号線を通して順に書き込む方式のものである。
【０００３】
この点順次駆動方式のアクティブマトリクス型液晶表示装置においては、水平方向の各画素に対応した水平スイッチが共通のビデオ線に接続されており、当該水平スイッチには自信号電位（自身がサンプリングする映像信号電位）でない映像信号電位も与えられることになるため、水平スイッチにリークがあるとそのリーク電流によって横クロストークと呼ばれる画質不良が現れることが知られている（例えば、特許文献１参照）。ここに、横クロストークとは、例えばノーマリブラックモードで、図１０に示すように、グレーラスターに黒ウィンドウ１０１を表示したときに、水平走査方向（横方向）において黒ウィンドウ１０１の前後に黒もしくは白の帯１０２，１０３を引く現象を言う。
【０００４】
【特許文献１】特開２０００−３０５５３３号公報
【発明の開示】
【発明が解決しようとする課題】
【０００５】
横クロストークは、水平走査方向においてウィンドウ１０１の前側に出る帯（以下、前側横クロストークと記す）１０２と、ウィンドウ１０１の後ろ側に出る帯（以下、後ろ側横クロストークと記す）１０３とに分けられる。ここでは、前側横クロストーク１０２を考える。前側横クロストーク１０２の発生原理について図１１を用いて説明する。
【０００６】
上述したように、水平スイッチには自信号電位でない映像信号電位、即ちサンプリングする必要のない映像信号電位も絶えず与えられることになる。また、一般的に、水平スイッチ２０１としては、図１１に示すように、ＮｃｈトランジスタＱｎ２０１とＰｃｈトランジスタＱｐ２０１とが並列接続されてなるアナログスイッチが用いられるため、当該水平スイッチ２０１にはトランジスタの特性によるリークが必ず存在する。このトランジスタの特性と映像信号電位、当該トランジスタのゲート電位、信号線２０２の電位によりリーク電流Ｉbackの電流量が決まるが、多かれ少なかれ水平スイッチ２０１からは電位がリークしてしまう。
【０００７】
具体的には、映像信号電位Ｖｓｉｇがコモン電位Ｖｃｏｍ（例えば、７．５Ｖ）を基準に、黒レベルが（１）１２．５Ｖ→（２）２．５Ｖ→（３）１２．５Ｖ→（４）２．５Ｖ…と反転し、また水平スイッチ２０１には０Ｖ−１３．５Ｖのサンプリングパルスが与えられるものとすると、水平スイッチ２０１がサンプリングを行わないときには、ＮｃｈトランジスタＱｎ２０１のゲート電位が０Ｖとなり、ＰｃｈトランジスタＱｐ２０１のゲート電位Ｖが１３．５Ｖとなる。
【０００８】
そして、映像信号電位Ｖｓｉｇが１２．５Ｖ、即ち（１），（３），…の場合は、信号線２０２に正極性側のグレーラスターの電位（９．５Ｖ程度）が保持されており、ＮｃｈトランジスタＱｎ２０１のゲート電位が０Ｖ、ソース電位が１２．５Ｖであることから、当該トランジスタＱｎ２０１のゲート−ソース間電圧Ｖｇｓが−９．５Ｖとなり、ＰｃｈトランジスタＱｐ２０１のゲート電位が１３．５Ｖ、ソース電位が１２．５Ｖであることから、当該トランジスタＱｐ２０１のゲート−ソース間電圧−Ｖｇｓが１．０Ｖとなるため、ＮｃｈトランジスタＱｎ２０１のリークが支配的となる。
【０００９】
また、映像信号電位Ｖｓｉｇが２．５Ｖ、即ち（２），（４），…の場合は、信号線２０２に負極性側のグレーラスターの電位（５．５Ｖ程度）が保持されており、ＮｃｈトランジスタＱｎ２０１のゲート電位が０Ｖ、ソース電位が２．５Ｖであることから、当該トランジスタＱｎ２０１のゲート−ソース間電圧Ｖｇｓが−２．５Ｖとなり、ＰｃｈトランジスタＱｐ２０１のゲート電位が１３．５Ｖ、ソース電位が５．５Ｖであることから、当該トランジスタＱｐ２０１のゲート−ソース間電圧−Ｖｇｓが８．０Ｖとなるため、ＮｃｈトランジスタＱｎ２０１のリークが支配的となる。
【００１０】
これらトランジスタＱｎ２０１，Ｑｐ２０１のリーク電流Ｉbackにより、本来なら自信号電位に保たれている信号線２０２の電位は黒レベル側の電位に引っ張り上げられる。このとき、選択行の画素２１０には走査線２０３を介して走査パルスが与えられており、画素トランジスタ２１１がオン状態にあるため、引っ張り上げられた信号線２０２の電位が画素トランジスタ２１１によって画素容量２１２に書き込まれてしまう。その結果、横クロストークとして本来よりも黒い画が現れる。この水平スイッチ２０１のリークによる信号線２０２の電位変化はウィンドウ１０１の前後で起きるが、ウィンドウ１０１の後ろ側では黒電位がリークした後に自信号電位が書き込まれるために横クロストークとして現れない。したがって、水平スイッチ２０１のリークによる横クロストークは、水平走査方向においてウィンドウ１０１の手前のみに現れる。
【００１１】
この水平スイッチ２０１のリークによって発生する横クロストークは、水平スイッチ２０１を形成するトランジスタＱｎ１０１，Ｑｐ１０１のチャネル長Ｌが小さいほど、チャネル幅Ｗが大きいほど悪くなる。これは、リーク電流ＩbackがトランジスタＱｎ２０１，Ｑｐ２０１のチャネル長Ｌ、チャネル幅Ｗの大きさに比例するためである。よって、水平スイッチ２０１のリークによる横クロストークを抑えるためには、トランジスタＱｎ２０１，Ｑｐ２０１のチャネル長Ｌは大きく、チャネル幅ＷL長は小さくすれば良いことがわかる。しかし、これはトランジスタＱｎ２０１，Ｑｐ２０１の能力を落とすことを意味する。トランジスタＱｎ２０１，Ｑｐ２０１の能力が落ちると、映像信号電位Ｖｓｉｇを信号線１０２に書き込む能力が落ちるため、縦スジ・ゴーストといった他の不良を引き起こすことになる。
【００１２】
本発明は、上記課題に鑑みてなされたものであって、その目的とするところは、水平スイッチの能力をある程度大きく保った上で、水平スイッチのリークによる横クロストークの除去を可能にした表示装置および表示装置の駆動方法を提供することにある。
【課題を解決するための手段】
【００１３】
上記目的を達成するために、本発明では、電気光学素子を含む画素が行列状に２次元配置されてなる画素アレイ部と、前記画素アレイ部の画素を行単位で選択する垂直駆動手段と、前記垂直駆動手段によって選択された行の画素に対して画素単位で映像信号を書き込む水平スイッチ群と、前記水平スイッチ群による前記映像信号の書き込みに先立って、あらかじめ所定レベルのプリチャージ信号を画素単位で書き込むプリチャージスイッチ群とを備えた表示装置において、前記水平スイッチ群による前記映像信号の書き込み期間に、前記プリチャージスイッチ群のリーク量を、ノーマリブラックモードでは黒レベル、ノーマリホワイトモードでは白レベルを書き込む際の前記水平スイッチ群のリーク量よりも大きくするようにしている。
【００１４】
点順次駆動方式のアクティブマトリクス型表示装置において、水平スイッチ群の各スイッチのリークは避けられなく、例えばグレーラスターに黒ウィンドウを表示した際に、水平スイッチのリークによって水平走査方向（横方向）において黒ウィンドウの前後に横クロストークが生じる。この水平スイッチ群による映像信号の書き込み期間には、プリチャージスイッチ群の各スイッチでもリークが生じ、このときのリーク量がノーマリブラックモードでは黒レベル、ノーマリホワイトモードでは白レベルを書き込む際の水平スイッチ群のリーク量よりも大きいことで、画面全体に亘ってノーマリブラックモードでは黒い画表示が、ノーマリホワイトモードでは白い画表示が行われ、水平スイッチのリークによる横クロストークが画面上に現れなくなる。
【発明の効果】
【００１５】
本発明によれば、水平スイッチ群による前記映像信号の書き込み期間に、プリチャージスイッチ群のリーク量を、ノーマリブラックモードでは黒レベル、ノーマリホワイトモードでは白レベルを書き込む際の水平スイッチ群のリーク量よりも大きくすることで、画面全体に亘ってノーマリブラックモードでは黒い画表示が、ノーマリホワイトモードでは白い画表示が行われ、水平スイッチのリークによる横クロストークが表示画面上に現れなくなるため、水平スイッチの能力をある程度大きく保った上で、水平スイッチのリークによる横クロストークを除去できる。
【発明を実施するための最良の形態】
【００１６】
以下、本発明の実施の形態について図面を参照して詳細に説明する。
【００１７】
図１は、本発明の一実施形態に係る表示装置の構成の概略を示すブロック図である。ここでは、画素の電気光学素子として液晶セルを用いた点順次駆動方式のアクティブマトリクス型液晶表示装置を例に挙げて説明するものとする。図１から明らかなように、本実施形態に係るアクティブマトリクス型液晶表示装置は、画素アレイ部１１、例えば２つの垂直駆動回路１２Ａ，１２Ｂ、水平駆動回路１３、プリチャージ回路１４および表示駆動回路１５を有する構成となっている。
【００１８】
画素アレイ部１１は、電気光学素子である液晶セルを含む画素２０が、透明絶縁基板、例えば第１のガラス基板（図示せず）上に行列状に２次元配置され、この画素２０のｍ行ｎ列の画素配列に対して行ごとに走査線１６−１〜１６−ｍが配線され、列ごとに信号線１７−１〜１７−ｎが配線された構成となっている。第１のガラス基板は、第２のガラス基板と所定の間隙を持って対向配置され、当該第２のガラス基板との間に液晶材料が封止されることによって液晶パネル１８を構成している。
【００１９】
図２は、画素（画素回路）２０の回路構成の一例を示す回路図である。図２から明らかなように、画素２０は、画素トランジスタ、例えばＴＦＴ(Thin Film Transistor;薄膜トランジスタ)２１と、このＴＦＴ２１のドレイン電極に画素電極が接続された液晶セル２２と、ＴＦＴ２１のドレイン電極に一方の電極が接続された保持容量２３とを有する構成となっている。ここで、液晶セル２２は、画素電極とこれに対向して形成される対向電極との間で発生する液晶容量を意味する。
【００２０】
ＴＦＴ２１はゲート電極が走査線１５（１５−１〜１５−ｍ）に接続され、ソース電極が信号線１６（１６−１〜１６−ｎ）に接続されている。また、例えば、液晶セル２２の対向電極および保持容量２３の他方の電極がコモン線１９に対して各画素共通に接続されている。そして、液晶セル２２の対向電極には、コモン線１９を介してコモン電圧（対向電極電圧）Ｖｃｏｍが各画素共通に与えられる。
【００２１】
２つの垂直駆動回路１２Ａ，１２Ｂは、画素アレイ部１１を挟んで左右両側に配置されている。なお、ここでは、画素アレイ部１１の左右両側に垂直駆動回路１２Ａ，１２Ｂを配置するとしたが、１つの垂直駆動回路１２を画素アレイ部１１の左右の一方側にのみ配置する構成を採ることも可能である。垂直駆動回路１２Ａ，１２Ｂは、シフトレジスタやバッファ回路等によって構成されている。
【００２２】
これら垂直駆動回路１２Ａ，１２Ｂにおいて、各シフトレジスタは、垂直スタートパルスＶＳＴに応答してシフト動作を開始し、当該垂直スタートパルスＶＳＴを垂直クロックパルスＶＣＫ（一般的には、互いに逆相のクロックパルスＶＣＫ，ＶＣＫＸ）に同期して順次シフトすることにより、各転送段で転送された転送パルスを走査パルスＶ１〜Ｖｍとして順に出力する。走査パルスＶ１〜Ｖｍは、画素アレイ部１１の走査線１６−１〜１６−ｍに与えられることによって画素２０を行単位で選択する。
【００２３】
水平駆動回路１３は、シフトレジスタ１３１、クロック抜き取り回路１３２−１〜１３２−ｎ、逆相パルス生成回路１３３−１〜１３３−ｎ、位相調整回路（ＡＰＣ；Phase Adjust Circuit）１３４−１〜１３４−ｎおよびサンプリングスイッチ（水平スイッチ）１３５−１〜１３５−ｎ等によって構成されており、垂直駆動回路１２Ａ，１２Ｂによって選択された画素行の各画素２０に対して画素単位で映像信号Ｖｓｉｇを書き込む。水平駆動回路１３には、水平スタートパルスＨＳＴ、互いに逆相の水平クロックパルスＨＣＫ．ＨＣＫＸおよび２系統の単相のクロックパルスＤＣＫ１，ＤＣＫ２とが与えられる。
【００２４】
クロックパルスＤＣＫ１は、水平クロックパルスＨＣＫの立ち上がりタイミングを基準とし、当該水平クロックパルスＨＣＫよりもパルス幅が狭いクロックパルスであり、クロック抜き取り回路１３２−１〜１３２−ｎの例えば偶数段目に供給される。クロックパルスＤＣＫ２は、水平クロックパルスＨＣＫＸの立ち上がりタイミングを基準とし、当該水平クロックパルスＨＣＫＸよりもパルス幅が狭いクロックパルスであり、クロック抜き取り回路１３２−１〜１３２−ｎの例えば奇数段目に供給される。
【００２５】
水平駆動回路１３において、シフトレジスタ１３１は、単位回路（転送段／シフト段）が画素アレイ部１１の水平方向の画素数ｎだけ縦続接続されてなり、水平スタートパルスＨＳＴに応答してシフト動作を開始し、当該水平スタートパルスＨＳＴを水平クロックパルスＨＣＫ，ＨＣＫＸに同期して順次シフトすることにより、各転送段で転送された転送パルスＨ１〜Ｈｎを順に出力する。これら転送パルスＨ１〜Ｈｎは順次、クロック抜き取り回路１３２−１〜１３２−ｎに与えられる。
【００２６】
クロック抜き取り回路１３２−１〜１３２−ｎにおいて、偶数段目のクロック抜き取り回路１３２−２，１３２−４，……は、シフトレジスタ１３１から順に出力される奇数番目の転送パルスＨ１，Ｈ３，……に同期して、単相のクロックパルスＤＣＫ２を抜き取ってサンプリングパルスＳＰ１，ＳＰ３，……として奇数段目の逆相パルス生成回路１３３−１，１３３−２，……に供給し、奇数段目のクロック抜き取り回路１３２−１，１３２−３，……は、シフトレジスタ１３１から順に出力される偶数番目の転送パルスＨ２，Ｈ４，……に同期して、単相のクロックパルスＤＣＫ１を抜き取ってサンプリングパルスＳＰ２，ＳＰ４，……として偶数段目の逆相パルス生成回路１３３−２，１３３−４，……に供給する。
【００２７】
逆相パルス生成回路１３３−１〜１３３−ｎは、単相のサンプリングパルスＳＰ１〜ＳＰｎから、互いに逆相の２相のサンプリングパルスＳＰ１，ＳＰ１Ｘ〜ＳＰｎ，ＳＰｎＸを生成し、位相調整回路１３４−１〜１３４−ｎに与える。位相調整回路１３４−１〜１３４−ｎは、逆相パルス生成回路１３３−１〜１３３−ｎで生成された２相のサンプリングパルスＳＰ１，ＳＰ１Ｘ〜ＳＰｎ，ＳＰｎＸ相互の位相が完全に逆相になるように、これらサンプリングパルスＳＰ１，ＳＰ１Ｘ〜ＳＰｎ，ＳＰｎＸの位相調整を行う。
【００２８】
サンプリングスイッチ１３５−１〜１３５−ｎは、例えばＮｃｈＭＯＳトランジスタとＰｃｈＭＯＳトランジスタとが並列接続されてなるＣＭＯＳアナログスイッチであり、映像信号Ｖｓｉｇを入力するビデオ線Ｌｖに各一端側が共通に接続され、各他端側が画素アレイ部１１の信号線１７−１〜１７−ｎの各一端にそれぞれ接続されている。これらサンプリングスイッチ１３５−１〜１３５−ｎは、互いに逆相のサンプリングパルスＳＰ１，ＳＰ１Ｘ〜ＳＰｎ，ＳＰｎＸに応答してオン（閉）状態になり、ビデオ線Ｌｖを通して入力される映像信号Ｖｓｉｇを順次サンプリングすることにより、当該映像信号Ｖｓｉｇを信号線１７−１〜１７−ｎに書き込む。その結果、垂直駆動回路１２Ａ，１２Ｂによって選択された画素行の各画素２０に対して、映像信号Ｖｓｉｇを画素単位で書き込む点順次駆動を実現できる。
【００２９】
図３は、水平スタートパルスＨＳＴ、水平クロックパルスＨＣＫ，ＨＣＫＸ、２系統のクロックパルスＤＣＫ１，ＤＣＫ１ＸおよびＤＣＫ２，ＤＣＫ２Ｘ、転送パルスＨ１〜Ｈ４ならびにサンプリングパルスＳＰ１，ＳＰ１Ｘ〜ＳＰ４，ＳＰ４Ｘのタイミング関係を示すタイミングチャートである。このタイミングチャートから明らかなように、水平クロックパルスＨＣＫ，ＨＣＫＸに同期しかつ転送パルスＨ１〜Ｈ４よりもパルス幅が狭いクロックパルスＤＣＫ１，ＤＣＫ１ＸおよびＤＣＫ２，ＤＣＫ２Ｘを、シフトレジスタ１３１から順に出力される転送パルスＨ１〜Ｈ４に同期して抜き取ってサンプリングパルスＳＰ１，ＳＰ１Ｘ〜ＳＰ４，ＳＰ４Ｘとして順次出力することにより、サンプリングパルスＳＰ１，ＳＰ１Ｘ〜ＳＰ４，ＳＰ４Ｘは相互にパルス波形がオーバーラップしない（ノンオーバーラップ）波形となる。
【００３０】
プリチャージ回路１４は、画素アレイ部１１の水平方向の画素２０ごとに配されたプリチャージスイッチ１４１−１〜１４１−ｎを有し、互いに逆相のプリチャージパルスＰＣＫ，ＰＣＫＸに同期してプリチャージスイッチ１４１−１〜１４１−ｎの全てを同時に一括してオン状態にし、所定のプリチャージ信号Ｐｓｉｇを行単位で一括して書き込む一括プリチャージ駆動方式の構成を採っている。
【００３１】
プリチャージ回路１４において、プリチャージスイッチ１４１−１〜１４１−ｎは、例えばＮｃｈＭＯＳトランジスタとＰｃｈＭＯＳトランジスタとが並列接続されてなるＣＭＯＳアナログスイッチであり、上記プリチャージ信号Ｐｓｉｇを入力するプリチャージ線Ｌｐに各一端側が共通に接続され、各他端側が画素アレイ部１１の信号線１７−１〜１７−ｎの各他端にそれぞれ接続されている。これらプリチャージスイッチ１４１−１〜１４１−ｎは、プリチャージパルスＰＣＫ，ＰＣＫＸに応答して同時にオン状態になってプリチャージ信号Ｐｓｉｇを一括してサンプリングすることにより、水平駆動回路１３による画素単位での映像信号Ｖｓｉｇの書き込みに先立って、当該プリチャージ信号Ｐｓｉｇを信号線１７−１〜１７−ｎに書き込む。
【００３２】
図４は、水平スタートパルスＨＳＴ、互いに逆相のプリチャージパルスＰＣＫ，ＰＣＫＸおよびプリチャージ信号Ｐｓｉｇのタイミング関係を示すタイミングチャートである。このタイミングチャートから明らかなように、プリチャージ信号Ｐｓｉｇを一括してサンプリングするプリチャージパルスＰＣＫ，ＰＣＫＸは、水平スタートパルスＨＳＴが発生する前のブランキング期間に発生することになる。
【００３３】
ここで、プリチャージスイッチ１４１−１〜１４１−ｎとしては、通常、サンプリングスイッチ（水平スイッチ）１３５−１〜１３５−ｎよりも小さいサイズのトランジスタが用いられる。これは、プリチャージスイッチ１４１−１〜１４１−ｎの開いている（オンしている）時間が長いためである。プリチャージスイッチ１４１−１〜１４１−ｎの開いている時間が長いと、書き込み能力が多少悪くても、プリチャージスイッチ１４１−１〜１４１−ｎの開いている時間内に所望の電位を信号線１７−１〜１７−ｎに書き込むことができる。
【００３４】
なお、以上説明したプリチャージ回路１４では、プリチャージ信号Ｐｓｉｇを行単位で一括して書き込む一括プリチャージ駆動方式を採用した場合を例に挙げて説明したが、一括プリチャージ駆動方式のプリチャージ回路への適用に限られるものではなく、プリチャージ信号Ｐｓｉｇを画素単位で順次書き込む点順次プリチャージ駆動方式を採用した場合にも同様に適用することが可能である。この点順次プリチャージ駆動方式を採用したプリチャージ回路の場合は、プリチャージスイッチ１４１−１〜１４１−ｎを順番に開く（オンさせる）回路構成を採ることになる。
【００３５】
表示駆動回路１５は、液晶パネル１８外に配置されており、液晶パネル１８内に配線されたビデオ線Ｌｖを通して水平駆動回路１３に映像信号Ｖｓｉｇを供給するとともに、液晶パネル１８内に配線されたプリチャージ線Ｌｐを通してプリチャージ回路１４にプリチャージ信号Ｐｓｉｇを供給する。
【００３６】
ここで、本実施形態に係る液晶表示装置が例えばノーマリブラックモードであるとし、例えば１Ｈ（Ｈは水平期間）反転駆動法を採るとした場合、表示駆動回路１５は、図５の波形図に示すように、コモン電位Ｖｃｏｍを基準として極性が１Ｈごとに反転する映像信号Ｖｓｉｇを出力する。ここでは、一例として、コモン電位Ｖｃｏｍを７．５Ｖとし、黒レベルを２．５Ｖ、１３．５Ｖとした場合を示している。
【００３７】
また、表示駆動回路１５は、図６の波形図に示すように、プリチャージパルスＰＣＧが“Ｈ”レベルとなるプリチャージ期間では、グレーレベルの中間電位をプリチャージ信号Ｐｓｉｇとして出力する。これにより、プリチャージ回路１４は、映像信号Ｖｓｉｇの信号線１７−１〜１７−ｎへの書き込みに先立って、あらかじめグレーレベルのプリチャージ信号Ｐｓｉｇを一括して書き込むことになる。このプリチャージ動作により、映像信号Ｖｓｉｇを信号線１７−１〜１７−ｎに書き込む際の信号レベルが小さくて済み、映像信号Ｖｓｉｇの書き込み時の充放電電流を抑えることができるため、当該充放電電流に起因する縦スジの発生を抑制することができる。
【００３８】
上記構成の点順次駆動方式のアクティブマトリクス型液晶表示装置において、水平駆動回路１３では、シフトレジスタ１３１の転送パルスＨ１〜ＨｎそのものをサンプリングパルスＳＰ１〜ＳＰｎとして用いることはできない。何故ならば、図３のタイミングチャートから明らかなように、シフトレジスタ１３１の転送パルスＨ１〜Ｈｎは隣り合う段でオーバーラップしており、当該転送パルスＨ１〜ＨｎそのものをサンプリングパルスＳＰ１〜ＳＰｎとして用いると、隣り合う段（画素列）で同じ映像信号Ｖｓｉｇをサンプリングすることになるため、正常な画像を表示できなくなる。
【００３９】
そのため、図７に示すように、転送パルスＨ１〜Ｈｎがオーバーラップする奇数段と偶数段とでそれぞれ独立なビデオ線Ｌｖｏ，Ｌｖｅを配線して表示駆動を行うようにしている（図１では、図面の簡略化のため１系統のビデオ線Ｌｖとして示している）。なお、ここでは、水平方向のＮ個の画素（ドット）を単位としてＮ個のサンプリングスイッチを組とし、１つのサンプリングパルスでＮ個のサンプリングスイッチを同時に駆動することによってＮ画素単位（ユニット（相）単位）で順次書き込みを行うＮドット（例えば、１２ドット、２４ドット、あるいは４８ドット等）同時サンプリング駆動方式の場合を示している。このＮドット同時サンプリング駆動方式も、映像信号Ｖｓｉｇやプリチャージ信号Ｐｓｉｇの書き込みを画素単位で行う点順次駆動方式の概念に含まれるものとする。
【００４０】
具体的には、図７では、例えば、奇数段のビデオ線Ｌｖｏおよび偶数段のビデオ線Ｌｖｅをそれぞれ２４本の集合とし、合計４８本のビデオ線Ｌｖｏ，Ｌｖｅを介して供給される映像信号Ｖｓｉｇを、２４ドットずつ２系統（奇数段および偶数段）に分けて同時にサンプリング（２４ドット＋２４ドット同時サンプリング）して選択行の画素２０に書き込むようにしている。なお、図７においては、図面の簡略化のため、サンプリングパルスＳＰ１〜ＳＰｎを単相とし、逆相パルス生成回路１３３−１〜１３３−ｎおよび位相調整回路１３４−１〜１３４−ｎを省略して示している。
【００４１】
さらに、奇数段と偶数段とでそれぞれ独立なビデオ線Ｌｖｏ，Ｌｖｅを配線しただけでは、奇数段の隣り合うサンプリングパルス同士、偶数段の隣り合うサンプリングパルス同士を完全にノンオーバーラップにすることができず、ゴーストが発生してしまうため、転送パルスＨ１〜Ｈｎよりもパルス幅の狭いクロックパルスＤＣＫ１，ＤＣＫ２を抜き取ってサンプリングパルスＳＰ１〜ＳＰｎとして用いることで、奇数段の隣り合うサンプリングパルス同士、偶数段の隣り合うサンプリングパルス同士がオーバーラップしないノンオーバーラップ波形のサンプリングパルスＳＰ１〜ＳＰｎを生成するようにしている。
【００４２】
以上説明した点順次駆動方式のアクティブマトリクス型液晶表示装置において、本発明では、サンプリングスイッチ（水平スイッチ）１３５−１〜１３５−ｎのリークによる横クロストークを除去するために、プリチャージスイッチ１４１−１〜１４１−ｎもサンプリングスイッチ１３５−１〜１３５−ｎと同じくＣＭＯＳアナログスイッチからなり、トランジスタの特性に起因してリークが発生することに着目し、サンプリングスイッチ１３５−１〜１３５−ｎによる映像信号Ｖｓｉｇの書き込み期間に、プリチャージスイッチ１４１−１〜１４１−ｎのリーク量を、黒レベルを書き込む際のサンプリングスイッチ１３５−１〜１３５−ｎのリーク量よりも大きくするようにしている。
【００４３】
映像信号Ｖｓｉｇの書き込み期間に、プリチャージスイッチ１４１−１〜１４１−ｎのリーク量を、黒レベルを書き込む際のサンプリングスイッチ１３５−１〜１３５−ｎのリーク量よりも大きくするために、本実施形態においては、図６の波形図に示すように、プリチャージスイッチ１４１−１〜１４１−ｎがオフし、プリチャージ期間から映像信号Ｖｓｉｇの書き込み期間に移行した後、表示駆動回路１５から縦スジ除去用のグレーレベルに代えて黒レベルを出力し、映像信号Ｖｓｉｇの書き込み期間にプリチャージ線Ｌｐの電位を黒電位に設定するようにしている。このときの黒レベルの極性は、“Ｈ”レベル側でも“Ｌ”レベル側でも構わない。ここでは、映像信号Ｖｓｉｇと同じ極性にするものとする。因みに、従来は、図８の波形図に示すように、映像信号Ｖｓｉｇの書き込み期間に移行した後も、そのままグレーレベルをプリチャージ線Ｌｐに供給するようにしていた。
【００４４】
このように、プリチャージスイッチ１４１−１〜１４１−ｎのリークを積極的に利用して、映像信号Ｖｓｉｇの書き込み期間に、プリチャージスイッチ１４１−１〜１４１−ｎのリーク量を、黒レベルを書き込む際のサンプリングスイッチ１３５−１〜１３５−ｎのリーク量よりも大きくすることで、サンプリングスイッチ１３５−１〜１３５−ｎから全信号線１７−１〜１７−ｎに対して黒レベルに基づくリークが均一に発生するため、サンプリングスイッチ１３５−１〜１３５−ｎのリークによる横クロストークよりも黒い画表示が画面全体に亘って行われ、当該横クロストークが表示画面上に現れなくなる。
【００４５】
これにより、水平スイッチであるサンプリングスイッチ１３５−１〜１３５−ｎに対してはトランジスタのサイズ変更などを行わないため、当該サンプリングスイッチ１３５−１〜１３５−ｎの能力をある程大きく保った上で、サンプリングスイッチ１３５−１〜１３５−ｎのリークによる横クロストークを確実に除去できる。しかも、画面全体に亘って黒い画表示が行われることで、サンプリングスイッチ１３５−１〜１３５−ｎのリークによる横クロストークのみならず、画素トランジスタ（図２のＴＦＴ２１）のリークによる縦クロストークを始め、クロストーク関係については全て除去できるとともに、コントラストの向上を図ることもできる。
【００４６】
図６の波形図では、プリチャージ期間において、全信号線１７−１〜１７−ｎに対してグレーレベルを書き込む前に、当該グレーレベルと同じ極性の映像信号Ｖｓｉｇ（ここでは、黒レベル）を書き込むようにしているが、図９の波形図に示すように、グレーレベルと逆極性（Ｖｃｏｍ基準）の映像信号Ｖｓｉｇを書き込むようにしても良い。このような駆動タイミングを採用することにより、図６および図９の対比から明らかなように、後者（図９）の方が１Ｈ期間におけるレベルの切り替え回数が１回少なくて済むため、タイミング制御が容易になるという利点がある。
【００４７】
また、本実施形態では、映像信号Ｖｓｉｇの書き込み期間に、プリチャージスイッチ１４１−１〜１４１−ｎのリーク量を、黒レベルを書き込む際のサンプリングスイッチ１３５−１〜１３５−ｎのリーク量よりも大きくするために、プリチャージスイッチ１４１−１〜１４１−ｎのオフ期間、即ち映像信号Ｖｓｉｇの書き込み期間にプリチャージ線Ｌｐの電位を黒電位に設定する手法を採るとしたが、これは一例に過ぎず、次のような手法を採ることによっても同様の機能を実現することができる。
【００４８】
アナログスイッチを形成するトランジスタについては、チャネル幅Ｗが大きい方が、またチャネル長Ｌが小さい方がリークし易く、当該トランジスタがオフ状態のときのゲート電位が、Ｎｃｈトランジスタでは低い方が、またＰｃｈトランジスタでは高い方がリークし易いことが知られている。
【００４９】
そこで、プリチャージスイッチ１４１−１〜１４１−ｎのトランジスタのチャネル幅Ｗｐを、サンプリングスイッチ１３５−１〜１３５−ｎのトランジスタのチャネル幅Ｗｈよりも大きくに設定、あるいはプリチャージスイッチ１４１−１〜１４１−ｎのトランジスタのチャネル長Ｌｐを、サンプリングスイッチ１３５−１〜１３５−ｎのトランジスタのチャネル幅Ｌｈよりも小さく設定、またはプリチャージスイッチ１４１−１〜１４１−ｎのトランジスタを形成するトランジスタのオフ時のゲート電位を、サンプリングスイッチ１３５−１〜１３５−ｎのトランジスタのオフ時のゲート電位よりも、Ｎｃｈトランジスタでは低く、Ｐｃｈトランジスタでは高く設定することで、映像信号Ｖｓｉｇの書き込み期間に、プリチャージスイッチ１４１−１〜１４１−ｎのリーク量を、黒レベルを書き込む際のサンプリングスイッチ１３５−１〜１３５−ｎのリーク量よりも大きくすることができ、上記実施形態と同様の作用効果を得ることができる。
【００５０】
なお、上記実施形態では、ノーマリブラックモードの液晶表示装置に適用した場合を例に挙げて説明したが、ノーマリホワイトモードの液晶表示装置にも同様に適用することが可能である。ノーマリホワイトモードの液晶表示装置に適用する場合は、映像信号Ｖｓｉｇの書き込み期間に、プリチャージスイッチ１４１−１〜１４１−ｎのリーク量を、白レベルを書き込む際のサンプリングスイッチ１３５−１〜１３５−ｎのリーク量よりも大きくすることで、ノーマリブラックモードの液晶表示装置に適用した場合と同様の作用効果を得ることができる。
【００５１】
また、上記実施形態では、サンプリングスイッチ１３５−１〜１３５−ｎとしてＣＭＯＳアナログスイッチを用いたが、これは一例に過ぎず、ＮｃｈまたはＰｃｈトランジスタのみからなるアナログスイッチを用いることも可能である。この場合には、単相のクロックパルスＤＣＫ１，ＤＣＫ２を抜き取ってそのままサンプリングパルスＳＰ１〜ＳＰｎとして用いれば良いため、逆相パルス生成回路１３３−１〜１３３−ｎおよび位相調整回路１３４−１〜１３４−ｎは不要となる。プリチャージスイッチ１４１−１〜１４１−ｎについても同様であり、転送クロックＨ１〜Ｈｎを単相のプリチャージパルスＰ１〜Ｐｎとして用いることで、逆相パルス生成回路１４２−１〜１４２−ｎおよび位相調整回路１４３−１〜１４３−ｎは不要となる。
【００５２】
また、上記実施形態では、画素の電気光学素子として液晶セルを用いた液晶表示装置に適用した場合を例に挙げて説明したが、本発明はこの適用例に限られるものではなく、画素の電気光学素子として有機ＥＬ(electro luminescence) 素子を用いた有機ＥＬ表示装置など、電気光学素子を含む画素が行列状に２次元配置されてなる表示装置全般に適用可能である。
【産業上の利用可能性】
【００５３】
本実施形態に係る点順次駆動方式のアクティブマトリクス型液晶表示装置は、一般的な映像表示装置として用いることができる他、例えば、投射型液晶表示装置（液晶プロジェクタ装置）において、液晶ライトバルブとして用いることができる。
【図面の簡単な説明】
【００５４】
【図１】本発明の一実施形態に係る点順次駆動方式のアクティブマトリクス型液晶表示装置の構成の概略を示すブロック図である。
【図２】画素（画素回路）の回路構成の一例を示す回路図である。
【図３】水平スタートパルスＨＳＴ、水平クロックパルスＨＣＫ，ＨＣＫＸ、２系統のクロックパルスＤＣＫ１，ＤＣＫ１ＸおよびＤＣＫ２，ＤＣＫ２Ｘ、転送パルスＨ１〜Ｈ４ならびにサンプリングパルスＳＰ１，ＳＰ１Ｘ〜ＳＰ４，ＳＰ４Ｘのタイミング関係を示すタイミングチャートである。
【図４】水平スタートパルスＨＳＴ、プリチャージパルスＰＣＫ，ＰＣＫＸおよびプリチャージ信号Ｐｓｉｇのタイミング関係を示すタイミングチャートである。
【図５】映像信号Ｖｓｉｇの一例を示す波形図である。
【図６】プリチャージ信号Ｐｓｉｇの一例を示す波形図である。
【図７】水平駆動回路のより具体的な構成例を示すブロック図である。
【図８】プリチャージ信号Ｐｓｉｇの従来例を示す波形図である。
【図９】プリチャージ信号Ｐｓｉｇの他の例を示す波形図である。
【図１０】横クロストークが発生した状態を示す図である。
【図１１】横クロストークの発生原理の説明に供する図である。
【符号の説明】
【００５５】
１１…画素アレイ部、１２Ａ，１２Ｂ…垂直駆動回路、１３…水平駆動回路、１４…プリチャージ回路、１５…表示駆動回路、１６（１６−１〜１６−ｍ）…走査線、１７（１７−１〜１７−ｎ）…信号線、１８…液晶パネル、２０…画素（画素回路）、２１…ＴＦＴ（画素トランジスタ）、２２…液晶セル、２３…保持容量、１３５−１〜１３５−ｎ…サンプリングスイッチ（水平スイッチ）、１４１−１〜１４１−ｎ…プリチャージスイッチ、Ｌｖ…ビデオ線、Ｌｐ…プリチャージ線、Ｐｓｉｇ…プリチャージ信号、Ｖｓｉｇ…映像信号
【図１】
2006011194.tif 000003
【図２】
2006011194.tif 000004
【図３】
2006011194.tif 000005
【図４】
2006011194.tif 000006
【図５】
2006011194.tif 000007
【図６】
2006011194.tif 000008
【図７】
2006011194.tif 000009
【図８】
2006011194.tif 000010
【図９】
2006011194.tif 000011
【図１０】
2006011194.tif 000012
【図１１】
2006011194.tif 000013